(57)【要約】【課題】歯間ブラシ部分を交換する際の交換が容易で、歯間ブラシの向きを使い易い方向に向けて使用でき、また携帯に便利なようにコンパクトに収納できるようにした歯間ブラシホルダーを提供する。【解決手段】歯間ブラシ１を取り付けたブラシ回転部２と、割りピン方式にて長手方向に半分に分割された回転部２を軸支するヘッド部３及び該ヘッド部３を一端に取り付け支持するネジシャフト部４と、該ネジシャフト部４に螺着するナット部６と、該ネジシャフト部４の他端を支持するシャフト支持部７とからなる歯間ブラシホルダー部Ａと、該歯間ブラシホルダーを収納するホルダーキャップ部Ｂとからなる歯間ブラシホルダーであって、回転部２はその両側支軸２ａ、２ａを分割されたヘッド本体３の両側軸受３ａ、３ａにて回動可能に軸支され、ネジシャフト部４に螺着したリングナット６により締め付け保持されている。【選択図】図１
2004202058.tif 000002
【特許請求の範囲】
【請求項１】
歯間ブラシ１を取り付けた水平支軸２ａにて回転可能なブラシ回転部２と、割りピン方式にて長手方向に半分に分割された回転部２の支軸２ａを軸支するヘッド部３及びその下端部の凸状嵌合部４とからなるブラシヘッド部Ａと、柱状体６上端部に開口する嵌合部７及び下端部の凸状嵌合部８とからなるブラシホルダー部Ｂと、筒状体９上端部に開口する嵌合部１０及び下端部の閉鎖部１１とからなるホルダーキャップ部Ｃとにより構成され、前記嵌合部４、７と嵌合部８、１０が嵌合連結可能であることを特徴とする歯間ブラシホルダー。
【請求項２】
前記ブラシヘッド部Ａのブラシ回転部２の側面又は外周面には所定間隔に複数の凸部２ｂを備え、各凸部２ｂをヘッド部３の凹部３ｂに嵌合させて、一旦停止できるようにしたことを特徴とする請求項１記載の歯間ブラシホルダー。
【請求項３】
前記ブラシヘッド部Ａの割りピン方式にて分割されたヘッド部３下端部の凸状嵌合部４の分割対向内面には位置合わせ嵌合部４ｂを設けたことを特徴とする請求項１又は請求項２記載の歯間ブラシホルダー。
【請求項４】
前記ブラシヘッド部Ａの割りピン方式にて長手方向に半分に分割されて対向する各々ヘッド部３及びその下端部の凸状嵌合部４は、該凸状嵌合部４下部のヒンジを介して開閉可能に連結していることを特徴とする請求項１乃至請求項３のいずれか１項記載の歯間ブラシホルダー。
【発明の詳細な説明】
【０００１】
【発明の属する技術分野】
本発明は、歯間ブラシホルダーに関し、歯間ブラシ部分が角度可変となっている構造の長柄状の歯間ブラシホルダーに関する。
【０００２】
【従来の技術】
歯間ブラシ部分が角度可変となっている構造の従来の長柄状の歯間ブラシホルダーとしては、ブラシホルダーの長手方向に対して直交方向に設けた支軸を介して歯間ブラシ部をブラシホルダーに回動可能に設けた構造のものがあり、歯間ブラシ部を長柄状の歯間ブラシホルダーに対して使い易い所定の角度に調整することができるようになっている。
【０００３】
【特許文献１】
特開平９−１２１９４２号公報
【特許文献２】
実公昭５４−５１６５号公報
【０００４】
【発明が解決しようとする課題】
また、上記のような従来の歯間ブラシホルダーは、歯間ブラシ部を交換する際には、ブラシホルダーから支軸部分を取り外して交換する必要があるが、その支軸部分をブラシホルダーから取り外す際に簡単に外すことができず、そのために時間が掛かったり、ブラシホルダー本体を破損したりして、交換が面倒であり、また歯間ブラシホルダーを旅行カバンなどに入れて携帯するような場合には、ホルダー部分が長柄状であるためにコンパクトに携帯できない不都合があった。
【０００５】
本発明の課題は、これらの不都合を解消することにあり、歯間ブラシ部分を交換する際の交換が容易で、歯間ブラシの向きを使い易い方向に向けて使用でき、また携帯に便利なようにコンパクトに収納できるようにした歯間ブラシホルダーを提供することにある。
【０００６】
【課題を解決するための手段】
本発明の請求項１に係る発明は、歯間ブラシ１を取り付けた水平支軸２ａにて回転可能なブラシ回転部２と、割りピン方式にて長手方向に半分に分割された回転部２の支軸２ａを軸支するヘッド部３及びその下端部の凸状嵌合部４とからなるブラシヘッド部Ａと、柱状体６上端部に開口する嵌合部７及び下端部の凸状嵌合部８とからなるブラシホルダー部Ｂと、筒状体９上端部に開口する嵌合部１０及び下端部の閉鎖部１１とからなるホルダーキャップ部Ｃとにより構成され、前記嵌合部４、７と嵌合部８、１０が嵌合連結可能であることを特徴とする歯間ブラシホルダーである。
【０００７】
本発明の請求項２に係る発明は、上記請求項１に係る歯間ブラシホルダーにおいて、前記ブラシヘッド部Ａのブラシ回転部２の側面又は外周面には所定間隔に複数の凸部２ｂを備え、各凸部２ｂをヘッド部３の凹部３ｂに嵌合させて、一旦停止できるようにしたことを特徴とする歯間ブラシホルダーである。
【０００８】
本発明の請求項３に係る発明は、上記請求項１又は請求項２に係る歯間ブラシホルダーにおいて、前記ブラシヘッド部Ａの割りピン方式にて分割されたヘッド部３下端部の凸状嵌合部４の分割対向内面には位置合わせ嵌合部４ｂを設けたことを特徴とする歯間ブラシホルダーである。
【０００９】
本発明の請求項４に係る発明は、上記請求項１乃至請求項３のいずれか１項に係る歯間ブラシホルダーにおいて、前記ブラシヘッド部Ａの割りピン方式にて長手方向に半分に分割されて対向する各々ヘッド部３及びその下端部の凸状嵌合部４は、該凸状嵌合部４下部のヒンジを介して開閉可能に連結していることを特徴とする歯間ブラシホルダーである。
【００１０】
【発明の実施の形態】
本発明の歯間ブラシホルダーの実施の形態を、図１（ａ）に示す全体斜視図及び図１（ｂ）に示す全体側断面図に沿って以下に詳細に説明する。
【００１１】
本発明の歯間ブラシホルダーは、ブラシヘッド部Ａとブラシホルダー部Ｂとホルダーキャップ部Ｃとにより構成されていて、ブラシヘッド部Ａは、歯間ブラシ１を取り付けたブラシ回転部２と、該回転部２を軸線Ｏを回転中心として回転可能に軸支するヘッド部３と、該ヘッド部３下端部の凸状嵌合部４とにより構成される。
【００１２】
歯間ブラシ１はブラシ回転部２に取り付けられていて、該回転部２は歯間ブラシ１の向きを垂直乃至水平方向に姿勢変換できるようにヘッド部３に回転可能に軸支されている。
【００１３】
ヘッド部３及び該ヘッド部３下端部の嵌合部４は、割りピン方式にて長手方向に、そのヘッド部３及び凸状嵌合部４の中心を通る断面にて半分に分割されている。分割された各々対向するヘッド部３及び凸状嵌合部４は、互いに分離した状態でもよいし、後述するように対向する各々凸状嵌合部４の下端がヒンジを介して接続していてもよい。
【００１４】
ブラシヘッド部Ａの分割されたヘッド部３及び凸状嵌合部４（割りピン形式部分）は、その凸状嵌合部４を、後述するブラシホルダー部Ｂの開口する嵌合部７に密に嵌合することにより、分割された凸状嵌合部４の分割対向断面５を互いに密着させて締め付けることにより、その上側にある両側ヘッド部３、３の対向間隔を正規の間隔を持って対向させることができる。なお分割したヘッド部３下部又は凸状嵌合部４の互いの分割対向断面５には、ボス形式（凹凸嵌合形式）の位置合わせ嵌合部４ｂが設けられている。
【００１５】
回転部２は、その軸線Ｏを回転中心とする支軸２ａが、分割された両側ヘッド部３、３の対向内面側に孔設した軸受孔３ａに、その両側ヘッド部３、３の正規の対向間隔において回転可能に軸支されて、回転部２の支軸２ａを中心とする回転により、歯間ブラシ１の向きを垂直方向乃至水平方向の適宜な方向に設定することができる。なお、回転部２の回転抵抗力は、支軸２ａと軸受孔３ａとの間の周接クリアランスを狭く乃至緩くして、周接静止摩擦力を付与する方向又は付与しない方向に設定することにより調整することができる。
【００１６】
また回転部２の側面又は外周面には、図１（ａ）、（ｂ）に示すように所定間隔に複数の凸部２ｂを備え、各凸部２ｂをヘッド部３の凹部３ｂに嵌合させて、数カ所の回転角位置にて一旦停止できる停止ロック機構を設けるようにしてもよい。
【００１７】
なお回転部２の回転動作は、回転部２外周を直接手指で触れて押しながら回転させてもよいが、必要に応じて回転部２の外周にヘッド部３より外側に突出する突起部２ｃを設け、該突起部２ｃを手指で押すことによって回転動作させるようにしてもよい。
【００１８】
ブラシホルダー部Ｂは、柱状体６（又は筒状体）の上端が開口する嵌合部７になっていて、下端は凸状嵌合部８となっており、その凸状嵌合部８の上方外周には連続又は断続してリング状に中間突起部６ａを備えている。
【００１９】
ホルダーキャップ部Ｃは、筒状体９の上端に開口する嵌合部１０を備え、下端は閉鎖部１１により閉鎖している。閉鎖部１１には、必要に応じて１乃至複数の通気孔１２が形成されている。
【００２０】
ブラシホルダー部Ｂのリング状の中間突起部６ａを挟んで上下側には、嵌合取り付け取り外しにおける脱着容易性と、その際の通気性を良好にするために、必要に応じて外周に沿って３個所又は複数個所に等間隔にホルダー長手方向にリブ６ｂ、６ｃが設けられている。
【００２１】
図２（ａ）〜（ｂ）は、ブラシヘッド部Ａの組み立て部材を示し、図２（ａ）は歯間ブラシ１を取り付けたブラシ回転体２であり、図２（ｂ）は割りピン方式のヘッド部３と凸状嵌合部４であり、半分に分割された凸状嵌合部４、４の一端部がヒンジ４ａにより接続している形態の場合である。
【００２２】
図２（ａ）に示すブラシ回転体２の一方の支軸２ａを、一方のヘッド部３の軸受孔３ａに装填した後、他方の分割されたヘッド部３及び凸状嵌合部４を、一方の分割されたヘッド部３及び凸状嵌合部４上にヒンジ４ａを介して重ね合わせ、他方のヘッド部３の軸受孔３ａ内に他方の支軸２ａを装填して、図１（ａ）に示すようなブラシヘッド部Ａを組み立てる。
【００２３】
組み立てた後のブラシヘッド部Ａは、図１（ａ）及び図３（ａ）に示すようにブラシホルダー部Ｂと嵌合接続して、割りピン方式のヘッド部３と凸状嵌合部４の分割対向断面５を密着対向させ、さらにブラシホルダー部Ｂの嵌合部８とホルダーキャップ部Ｃの嵌合部１０とを嵌合接続して、ホルダーを伸長させて使用する。
【００２４】
本発明の歯間ブラシホルダーは、図３（ａ）に示すように、ブラシヘッド部Ａの凸状嵌合部４を、ブラシホルダー部Ｂの開口する嵌合部７内に密着嵌合して組み立てて使用するものであり、ブラシホルダー部Ｂを伸長して使用する場合にはブラシホルダー部Ｂ下端の凸状嵌合部８を、ホルダーキャップ部Ｃの開口する嵌合部１０内に嵌合することによりホルダー部分を伸長して使用する。このように上記ブラシホルダー部Ｂは、そのホルダー長さを伸長し、長柄状（ロングスティック状）に伸ばして手で持ち易くすることができる。
【００２５】
ブラシホルダー部Ｂの下端にある中間突起部６ａは、ホルダーキャップ部Ｃの嵌合部１０にブラシホルダー部Ｂの嵌合部８を嵌合した際のストッパーであり、その突起部６ａの突起高さは、特に限定されないが、その突起部７ａの上部外周面がホルダーキャップ部Ｃの外周面より突出せずに面一となるような高さであることが適当である。
【００２６】
図３（ｂ）は、本発明の歯間ブラシホルダーにおけるブラシヘッド部Ａを取り付けたブラシホルダー部ＢをホルダーキャップＣ内に収納した状態を説明する上面図、図３（ｃ）はその側面図であり、図３（ａ）に示すブラシヘッド部Ａを取り付けたブラシホルダー部ＢをホルダーキャップＣから外し、そのブラシホルダー部Ｂ先端の歯間ブラシ１をホルダーキャップＣの開口する嵌合部１０に向けてホルダーキャップＣ内に挿入して、そのブラシホルダー部ＢをホルダーキャップＣの開口する嵌合部１０内に差し込むことにより、図３（ｃ）に示すようにホルダーキャップＢ内に収納することができる。
【００２７】
ホルダーキャップ部Ｃの筒体９の外径及び内径は、ブラシホルダー部Ｂを収納できる程度の大きさであれば、その開口する嵌合部１０から閉鎖部１１まで長手方向に亘って同じ直径でもよいが、例えば、筒体９は、ブラシホルダー部Ｂの収納スペースを確保できる程度の外径及び内径を備えた嵌合部１０側の筒部と、歯間ブラシ１の細い収納スペースを確保できる程度の嵌合部１０側の筒部よりも細い外径及び内径を備えた閉鎖部１１側の筒部とにより構成されていてもよい。
【００２８】
図４は、本発明の歯間ブラシホルダーの使用方法を説明する側面図であり、前記図３に示したホルダーキャップ部Ｃ内から収納されている歯間ブラシホルダー部Ａを取り出し、ホルダー部Ａの嵌合部９をホルダーキャップ部Ｃの嵌合部１２内に嵌合させた後、ブラシ回転部２を手指で回転させ、適宜な回転角度にて一旦停止させることにより、歯間ブラシ１の向きを、水平１８０度の範囲内にて適宜な角度（垂直〜水平）の姿勢に変化させることができる。
【００２９】
例えば、図３（ｄ）に示すように、ブラシ回転体２を９０度の水平方向に回転させ、歯間ブラシ１の向きをホルダー部Ｂの長手方向に対して９０度の水平方向の姿勢にすることにより、ホルダー部分を手で縦方向に持ちながら、歯間ブラシ１を略水平方向にして口腔内に挿入し、楽な姿勢で歯間の清掃を行うことができる。
【００３０】
上記ブラシホルダー部Ｂに取り付けられたブラシヘッド部Ａの歯間ブラシ１を取り付けたブラシ回転体２を取り替え交換する場合は、ブラシヘッド部Ａをブラシホルダー部Ｂから取り外すことにより、分割対向密着している割りピン方式のヘッド部３及び凸状嵌合部４は、分割対向断面５から半分に離反して、ヘッド部３、３の両側への離反により、該ヘッド部３、３の軸受孔３ａ、３ａにて軸支されていたブラシ回転体２の両側支軸２ａ、２ａは、それぞれ軸受孔３ａ、３ａから容易に外すことができ、ブラシ回転体２を簡単に取り外して、新規なブラシ回転体２を取り付け交換することができる。
【００３１】
【発明の効果】
本発明の歯間ブラシホルダーは、歯間ブラシ部分を交換する際には、ブラシホルダー部からブラシヘッド部を取り外すことにより、割りピン方式のヘッド部及び凸状嵌合部の分割対向断面の対向密着面を両側に離反させることができ、歯間ブラシを取り付けたブラシ回転体を簡単に取り外すことができ、また、取り付ける際には、両側に離反した状態の割りピン方式のヘッド部及び凸状嵌合部の分割対向間にブラシ回転体を装填し、分割対向面を互いに密着させてブラシヘッド部を組み立てた後、ブラシヘッド部の凸状嵌合部をブラシホルダー部に嵌合することにより、ブラシ回転体を簡単に取り付けることができる。
【００３２】
また本発明の歯間ブラシホルダーは、ブラシヘッド部とブラシホルダー部とホルダーキャップ部から構成されているので、使用する際には、ホルダー部とホルダーキャップ部とを嵌合接続することにより、ブラシの柄を伸長させて使い易くすることができ、また旅行カバンなどに入れて携帯するような場合には、ホルダー部とホルダーキャップ部とを切り離して、ホルダー部をホルダーキャップ部内に収納することができ、コンパクトに携帯できる効果がある。
【図面の簡単な説明】
【図１】（ａ）は本発明の歯間ブラシホルダーの組み立て斜視図、（ｂ）はその全体側断面図。
【図２】（ａ）は本発明の歯間ブラシホルダーのブラシヘッド部を構成する歯間ブラシを取り付けたブラシ回転体の斜視図、（ｂ）はブラシヘッド部を構成する割りピン方式のヘッド部と凸状嵌合部の組み立て部材の斜視図。
【図３】（ａ）は本発明の歯間ブラシホルダーの全体側面図、（ｂ）はブラシホルダー部をホルダーキャップ部内に収納した状態の上面図、（ｃ）はその側面図、（ｄ）は本発明の歯間ブラシホルダーの使用例を示す全体側面図。
【符号の説明】
Ａ…ブラシヘッド部  Ｂ…ブラシホルダー部  Ｃ…ホルダーキャップ部
１…歯間ブラシ  ２…ブラシ回転部  ２ａ…支軸  ３…ヘッド部  ３ａ…軸受孔
４…凸状嵌合部  ４ａ…ヒンジ部  ４ｂ…位置合わせ嵌合部
５…分割対向断面  ６…柱状体  ６ａ…突起部  ６ｂ、６ｃ…リブ
７…嵌合部  ８…嵌合部  ９…筒状体  １０…嵌合部  １１…閉鎖部
１２…通気孔
【図１】
2004202058.tif 000003
【図２】
2004202058.tif 000004
【図３】
2004202058.tif 000005